(57)【要約】【課題】コンパクトケースの鏡を平面鏡か拡大鏡のいずれかの単一の鏡と平面鏡と拡大鏡の両方が使える鏡のいずれにも使用できるようにする。【解決手段】化粧用コンパクトケースにおいて、上面が開放した偏平な箱体からなる本体と、前記本体の上部開口の一縁にヒンジにより開閉可能に固定される上蓋であって、裏面に鏡が配置されるとともに当該鏡の外周の一部に磁石又は磁性体からなる第一吸着体が配置される上蓋と、  前記本体の上部開口に当該上部開口を塞ぐよう固定されるとともに前記上蓋の裏面に前記第一吸着体により固定される板状体からなり、少なくとも一部が透明であり、少なくとも一面の一部に鏡が設けられ、前記上蓋の裏面に固定された際に前記第一吸着体に相対する位置に、前記第一吸着体に吸着する磁石又は磁性体からなる第二吸着体が固定されるカバー板とから構成し、前記上蓋の鏡と前記カバー板の鏡を、一方が拡大鏡であり、他方が平面鏡とする。【選択図】  図２
2016059697.tif 000002
【特許請求の範囲】
【請求項１】
上面が開放した偏平な箱体からなる本体と、
前記本体の上部開口の一縁にヒンジにより開閉可能に固定される上蓋であって、裏面に鏡が配置されるとともに当該鏡の外周の一部に磁石又は磁性体からなる第一吸着体が配置される上蓋と、
前記本体の上部開口に当該上部開口を塞ぐよう固定されるとともに前記上蓋の裏面に前記第一吸着体により固定される板状体からなり、少なくとも一部が透明であり、少なくとも一面の一部に鏡が設けられ、前記上蓋の裏面に固定された際に前記第一吸着体に相対する位置に、前記第一吸着体に吸着する磁石又は磁性体からなる第二吸着体が固定されるカバー板とを有し、
前記上蓋の鏡と前記カバー板の鏡は、一方が拡大鏡であり、他方が平面鏡である
化粧用コンパクトケース。
【請求項２】
前記本体上部開口の前記カバー板が固定されたときに前記第二吸着体に相対する位置に、前記第二吸着体に吸着する磁石又は磁性体からなる第三吸着体が固定される
請求項１に記載の化粧用コンパクトケース。
【請求項３】
前記カバー板は前記上蓋に固定された状態において、上下のエリアに分けられ、いずれか一方のエリア全体が透明であり、いずれか他方のエリア全体に前記鏡が設けられる請求項１又は２に記載の化粧用コンパクトケース。
【請求項４】
前記本体の内側底面全体に磁石又は磁性体からなる板体が配置される請求項１から３いいずれか１項に記載の化粧用コンパクトケース。
【発明の詳細な説明】
【技術分野】
【０００１】
本発明は、ファンデーションなどの化粧料を携帯するために使用するコンパクトケースに関し、特に、拡大鏡を有するものに関する。
【背景技術】
【０００２】
化粧用コンパクトケースには、上蓋の裏面に鏡が設けられているのが一般的である。多くの化粧用コンパクトケースに設けられている鏡は平面鏡であるが、目元などを部分的に拡大して見たい場合がある。このため、一部の化粧用コンパクトケースの鏡には一部が拡大鏡になっているものが存在する。
【発明の概要】
【発明が解決しようとする課題】
【０００３】
ところでコンパクトケースにファンデーションなど粉が飛び散るものが含まれている場合には、ケース上部近傍にカバーを設けることが一般的である。しかし、化粧をする際には、カバーをはずす必要があり、置き場所に困ることがある。また、カバーをケースに対してヒンジで回転できるようにしたり、スライドできるようにしたりするものもあるが、構造が複雑化し、外側にカバーが飛び出すので少しの衝撃で壊れてしまうという問題もある。
また、上蓋の鏡は必要に応じて、全体が単一の平面鏡又は拡大鏡として使用できるようにするとより使い勝手がよくなると考えられる。
本発明は、このような観点から、化粧用コンパクトケースにおいて、化粧時にコンパクトケースのカバーを壊れにくい場所に収納し、さらに、上蓋の鏡を平面鏡か拡大鏡のいずれかの単一の鏡と、平面鏡と拡大鏡の両方が使える鏡のいずれにも使用できるようにすることを課題とする。
【課題を解決するための手段】
【０００４】
上記課題を解決するために、本発明は次のような構成を有する。
請求項１に記載の発明は、上面が開放した偏平な箱体からなる本体と、前記本体の上部開口の一縁にヒンジにより開閉可能に固定される上蓋であって、裏面に鏡が配置されるとともに当該鏡の外周の一部に磁石又は磁性体からなる第一吸着体が配置される上蓋と、  前記本体の上部開口に当該上部開口を塞ぐよう固定されるとともに前記上蓋の裏面に前記第一吸着体により固定される板状体からなり、少なくとも一部が透明であり、少なくとも一面の一部に鏡が設けられ、前記上蓋の裏面に固定された際に前記第一吸着体に相対する位置に、前記第一吸着体に吸着する磁石又は磁性体からなる第二吸着体が固定されるカバー板とを有し、前記上蓋の鏡と前記カバー板の鏡は、一方が拡大鏡であり、他方が平面鏡である化粧用コンパクトケースである。
【０００５】
請求項２に記載の発明は、前記化粧用コンパクトケースにおいて、前記本体上部開口の前記カバー板が固定されたときに前記第二吸着体に相対する位置に、前記第二吸着体に吸着する磁石又は磁性体からなる第三吸着体が固定されるものである。
請求項３に記載の発明は、前記化粧用コンパクトケースにおいて、前記カバー板は前記上蓋に固定された状態において、上下のエリアに分けられ、いずれか一方のエリア全体が透明であり、いずれか他方のエリア全体に前記鏡が設けられるものである。
請求項４に記載の発明は、前記化粧用コンパクトケースにおいて、前記本体の内側底面全体に磁石又は磁性体からなる板体が配置されるものである。
【発明の効果】
【０００６】
以上のような構成により本発明は、次のような効果を奏する。
請求項１に記載の発明は、化粧をする際にはカバー板を本体から取り外して磁力によって上蓋裏の鏡の上に重ねるように固定すると、カバー板を破損しにくい状態に収納することができる。そして、カバー板の一部は透明なので、ここから上蓋裏の鏡を見ることができ、カバー板の一部は上蓋裏の鏡と種類の異なる鏡が設けられているので、両方の種類の鏡を同時に見ながら化粧を行うことができる。また、化粧をしないときは上蓋裏の鏡やカバー板の鏡を単一の鏡として使用することができる。このように、本発明は、状況に応じて、平面鏡、拡大鏡いずれかの単一の鏡として利用できるとともに、両方の鏡を同時に見るようにでき、また、化粧に際して上蓋は邪魔にならない。
【０００７】
請求項２に記載の発明は、カバー板をケースに固定する際に磁力を用いるので、よりしっかりと固定することができる。
請求項３に記載の発明は、カバー板を上蓋裏に固定したときに上下に平面鏡と、拡大鏡が配置され、視線は上下方向に動かすほうが楽であるので、化粧時に両方の鏡を見やすくすることができる。
請求項４に記載の発明は、本体の内部底面を磁石又は磁性体とすると、ファンデーションケースやアイシャドウケースなどの裏面に、これらに吸着する磁石や磁性体のシートを貼り付けることで、ファンデーションを入れた中皿等を任意の位置に固定することができる。また、本発明のカバー板は本体開口全面に固定可能であるので、どの位置にファンデーションケースなどの粉が飛び散るものを配置しても、これをカバーすることができ、好適である。
【図面の簡単な説明】
【０００８】
【図１】（ａ）は、実施形態に係る化粧用コンパクトの上蓋を開けた状態の斜視図であり、（ｂ）は実施形態に係る化粧用コンパクトの上蓋を閉じた状態の斜視図である。
【図２】実施形態に係る化粧用コンパクトの分解斜視図である。
【図３】図１（ｂ）のＡ−Ａ線断面図である。
【図４】実施形態に係る化粧用コンパクトの使用方法の第一の説明図である。
【図５】実施形態に係る化粧用コンパクトの使用方法の第二の説明図である。
【図６】実施形態に係る化粧用コンパクトの使用方法の第三の説明図である。
【発明を実施するための形態】
【０００９】
以下、本発明の実施の形態について、図面を参照しながら説明する。図１（ａ）は実施形態に係る化粧用コンパクトケースＸの上蓋を開けた状態の斜視図であり、図１（ｂ）は化粧用コンパクトケースＸの上蓋を閉じた状態の斜視図である。図２は化粧用コンパクトケースＸの分解斜視図であり、図３は図１（ｂ）のＡ−Ａ線断面図である。
化粧用コンパクトケースＸは、本体１０、上蓋２０、カバー板３０から構成される。本体１０と上蓋２０の基本的な構成は一般的な化粧用コンパクトケースと同様であり、本体１０は上方の開放した扁平な直方体状の箱体により形成され、上蓋２０は、本体の上部開口に重なる大きさ及び形状を有し、本体１０の上部開口の一縁にヒンジにより開閉可能に固定される。上蓋２０のヒンジが設けられている縁部に対向する縁部近傍の裏面中央にはフック２３が設けられ、これが本体１０のヒンジが設けられている縁部に対向する縁部中央に設けられる係合部１３に係合するように形成されている。また、上蓋２０の裏面には長方形状の拡大鏡２１が固定されている。
【００１０】
本体１０のヒンジが設けられている縁部に隣接する両縁の開口内側は段差が形成され、当該段差部分に薄く細長い長方形状のマルテンサイト系ステンレス鋼で形成される第三吸着体１１が固定されている。また、上蓋２０の拡大鏡の両端にも薄く細長い長方形状のマルテンサイト系ステンレス鋼で形成される第一吸着体２２が拡大鏡２１と表面の高さが合致するように固定されている。また本体１０の内側底面には底面全体に薄い長方形状の磁石からなる底板１２が固定されている。
【００１１】
カバー板３０は、本体１０の前記段差より上の長方形状の開口とほぼ合致する大きさを有する長方形の板状体であり、一側縁に指を掛けるための切り欠きが設けられている。カバー板は透明なプラスチック製の板体により形成されるとともに、短辺を上下方向としたときに下方３分の２のエリアにアルミ蒸着を施すことで平面鏡３１が形成される。即ち、カバー板は上方３分の１の長方形エリアが透明部３２を形成し、下方３分の２の長方形エリアが平面鏡３１を形成することとなる。また、カバー板３０の一面の短辺を構成する両縁側に薄く細長い長方形状の磁石からなる第二吸着体３３が固定されている。
【００１２】
次に、以上のような構成を有する化粧用コンパクトケースＸの使用方法について説明する。まず、使用に際しては、カバー板３０を外して、図４に示すように、化粧法コンパクトケースＸ内にファンデーション等の化粧料が入った中皿Ｓ、仕切りＰ、化粧筆Ｇ等を本体１０内に配置する。仕切りＰはマルテンサイト系ステンレスで形成されており、本体１０の磁石からなる底板１２に吸着するので、底板１２の任意の場所に固定することができる。中皿Ｓは市販の任意ものを使うことができる。この際、中皿Ｓが鉄やマルテンサイト系ステンレスなどの磁性体で形成されている場合は、底板１２に吸着するのでそのまま使用でき、中皿Ｓが磁性体で形成されていない場合は、中皿の底面に薄い鉄板などの磁性体は磁石シートを底板１２に吸着するように貼り付ける。これにより、磁性体でない中皿Ｓを底板１２の任意の場所に固定することができる。仕切りＰは一つは、本体１０の両段差間よりやや短い長さに形成され、他の一つは本体１０内部の上下方向の長さの３分の２程度の長さに形成される。図５に示すように、本体１０内に中皿Ｓ、仕切りＰ、化粧筆Ｇ等の配置が完了したらカバー板３０を本体１０に装着し、図１（ａ）のような状態とする。カバー板３０は両端に磁石からなる第二吸着体が設けられ、本体１０にはこれに合致する位置に磁性体からなる第三吸着体１１が設けられているので、これらが互いに接触して吸着することでカバー板３０はしっかりと固定されることとなる。さらに、上蓋２０を閉めて図１（ｂ）の状態として携帯して持ち運ぶ。
【００１３】
化粧をする際には、上蓋２０を開けて、カバー板３０を本体１０から取り外し、図６に示すように、カバー板３０の第二吸着体３３が、上蓋２０裏面の第一吸着体２２に吸着するように、カバー板３０を拡大鏡２１に重ねて固定する。そして、この状態で、本体１０内の化粧料を用いて化粧をする。この際、カバー板３０の透明部３２においては背面側の拡大鏡２１が見えることとなるので、この部分は拡大鏡として使用でき、カバー板３０の平面鏡３１部分はそのまま平面鏡として使用することができる。化粧が完了したらカバー板３０を上蓋２０から外して、本体１０に再び固定する。
なお、化粧くずれなどを確認する場合には、上蓋２０を開けてカバー板３０は本体１０に固定したまま、上蓋２０の拡大鏡２１を利用したり、カバー板３０の平面鏡３１を利用したりすることができる。
このように、本実施形態に係る化粧用コンパクトケースＸは、化粧時に邪魔になるカバー板３０を上蓋３０の裏に固定でき、これによって平面鏡と拡大鏡の両方を同時に見ることができる。さらに、化粧をしないときには平面鏡と拡大鏡を広い面で別個に使用することも可能である。また、本体１０底面は磁石により形成されることで、任意の化粧料が入った中皿等を自由に配置することができ、カバー板３０は本体１０上面全体を覆うので、どの位置にファンデーションなどの粉が舞う化粧料が配置されても、これに対応することができる。
【００１４】
なお、上記実施形態では、第一吸着体２２、第三吸着体１１を磁性体、第二吸着体３３を磁石としているが、第一吸着体２２と第二吸着体３３、第三吸着体１１と第二吸着体３３が吸着し合うのであれば、すべてを磁石にしたり、第一吸着体２２、第三吸着体１１を磁石にし、第二吸着体を磁性体としたり等、種々の組み合わせを選択することができる。
また、上記実施形態では、上蓋２０裏に拡大鏡を設け、カバー板３０に平面鏡を設けているが、上蓋２０裏に平面鏡を設け、カバー板３０に拡大鏡を設けてもよい。さらに、上記実施形態では、カバー板３０において、鏡面と透明部分を上下に分けたが、これは左右に透明部分と鏡面部分を分けたり、一部に円形に透明部分を設けて、他の部分を鏡面にしたり等、種々の変形が可能である。
それから上記実施形態では本体１０の底板１２を磁石にしているが、磁性体により形成してもよい。この場合は、内部に配置する中皿や仕切りの底面には磁石シートを貼り付ければ、本体１０の底面の任意の位置に固定することが可能となる。
【符号の説明】
【００１５】
Ｘ  化粧用コンパクトケース
Ｓ  化粧料の中皿
Ｐ  仕切り
Ｇ  化粧筆
１０  本体
１１  第三吸着体
１２  底板
２０  上蓋
２１  拡大鏡
２２  第一吸着体
３０  カバー板
３１  平面鏡
３２  透明部
３３  第二吸着体
【図１】
2016059697.tif 000003
【図２】
2016059697.tif 000004
【図３】
2016059697.tif 000005
【図４】
2016059697.tif 000006
【図５】
2016059697.tif 000007
【図６】
2016059697.tif 000008
【手続補正書】
【提出日】平成26年9月22日(2014.9.22)
【手続補正１】
【補正対象書類名】図面
【補正対象項目名】図４
【補正方法】変更
【補正の内容】
【図４】
2016059697.tif 000009